(57)【要約】      （修正有）【課題】原稿押さえ部材の濃度と原稿の濃度との間の濃度差を用いて原稿の大きさや位置を検出するに際し、原稿の端部を正確に読み取ることができるようにする。【解決手段】原稿押さえ板１１は、原稿押さえ面に原稿の端部と傾斜した状態で交差する縞模様でなるパターンが描かれている。画像読取部１２は、原稿押さえ板１１に描かれたパターンに包含された原稿の画像を読み取る。比較部１５は、画像読取部１２により読み取られた原稿画像の画像データの濃度と、グラデーションデータ記憶部１４に予め記憶されているパターンデータに示されたパターンの濃度とを比較する。端部検出部１６は、比較部１５の比較結果に基づき原稿の端部を検出する。【選択図】図１
2009071713.tif 000002
【特許請求の範囲】
【請求項１】
原稿押さえ面にグラデーションパターンが描かれた原稿押さえ部材と、
前記原稿押さえ部材に描かれたグラデーションパターン及び該パターンに包含された原稿画像を読み取る原稿画像読取り部と、
前記グラデーションパターンの濃度を示すグラデーションパターンデータを記憶するパターンデータ記憶部と、
前記原稿画像読取り部により読み取られた前記画像データの濃度と、前記パターンデータ記憶部に記憶されている前記グラデーションパターンデータに示された前記グラデーションパターンの濃度とを比較する濃度比較部と、
前記濃度比較部の比較結果に基づき前記原稿の端部を検出する端部検出部と
を備えることを特徴とする原稿読取り装置。
【請求項２】
原稿押さえ面に、原稿の端部と傾斜した状態で交差する縞模様でなるパターンが描かれた原稿押さえ部材と、
前記原稿押さえ部材に描かれた前記パターン及び該パターンに包含された原稿画像を読み取る原稿画像読取り部と、
前記パターンの濃度を示すパターンデータを記憶するパターンデータ記憶部と、
前記原稿画像読取り部により読み取られた前記画像データの濃度と、前記パターンデータ記憶部に記憶されている前記パターンデータに示された前記パターンの濃度とを比較する濃度比較部と、
前記濃度比較部の比較結果に基づき前記原稿の端部を検出する端部検出部と
を備えることを特徴とする原稿読取り装置。
【請求項３】
前記端部検出部により検出された前記原稿の端部に基づき、原稿のサイズを検出する原稿サイズ検出部
を更に備える請求項１または２に記載の原稿読取り装置。
【請求項４】
前記端部検出部により検出された前記原稿の端部に基づき、原稿の位置を検出する原稿位置検出部
を更に備える請求項１乃至３のいずれかに記載の原稿読取り装置。
【発明の詳細な説明】
【技術分野】
【０００１】
本発明は、複写機、スキャナ、電子ファイル等に用いられ、原稿を光学的に読み取る原稿読取り装置に関する。
【背景技術】
【０００２】
従来から、複写機等には、セットされた原稿の大きさや位置を検出するための原稿読取り装置が備えられている。この原稿読取り装置は、原稿を押さえる面が黒色からなる原稿押さえ部材の濃度と原稿の濃度との間の濃度差を検出し、検出した濃度差に基づき原稿の端部を検出し、この検出した端部から原稿の大きさや位置を検出するようになっている（例えば、特許文献１参照）。
【特許文献１】特開平５−１３０３３７号公報
【発明の開示】
【発明が解決しようとする課題】
【０００３】
上述した従来の原稿読取り装置では、例えば、図１６（ａ）に示すように、原稿の端部が白色の原稿の場合には、この原稿を黒色の原稿押さえ部材に押圧されたとき、図１６（ｂ）に示すように、原稿の端部の濃度と黒色の原稿押さえ部材の濃度との間の濃度差が鮮明に検出されるので、原稿の端部が正確に検出される。しかし、例えば図１７（ａ）に示すように、黒色の縁取りのある端部を有する原稿の場合には、この原稿を原稿押さえ部材に押圧されたとき、図１７（ｂ）に示すように、縁取りの端部が検出されず、この端部を除いた部分しか検出されないため、原稿の大きさや位置を誤って検出してしまうという問題点があった。
【０００４】
本発明は、上述した問題点に鑑み、原稿押さえ部材の濃度と原稿の濃度との間の濃度差を用いて原稿の大きさや位置を検出するに際し、原稿の端部を正確に読み取ることが可能な原稿読取り装置を提供することを目的とする。
【課題を解決するための手段】
【０００５】
上記課題を解決するため、請求項１記載の発明は、原稿押さえ面にグラデーションパターンが描かれた原稿押さえ部材と、前記原稿押さえ部材に描かれたグラデーションパターン及び該パターンに包含された原稿画像を読み取る原稿画像読取り部と、前記グラデーションパターンの濃度を示すグラデーションパターンデータを記憶するパターンデータ記憶部と、前記原稿画像読取り部により読み取られた前記画像データの濃度と、前記パターンデータ記憶部に記憶されている前記グラデーションパターンデータに示された前記グラデーションパターンの濃度とを比較する濃度比較部と、前記濃度比較部の比較結果に基づき前記原稿の端部を検出する端部検出部とを備えることを特徴とする。
【０００６】
また、請求項２記載の発明は、原稿押さえ面に原稿の端部と傾斜した状態で交差する縞模様でなるパターンが描かれた原稿押さえ部材と、前記原稿押さえ部材に描かれた前記パターン及び該パターンに包含された原稿画像を読み取る原稿画像読取り部と、前記パターンの濃度を示すパターンデータを記憶するパターンデータ記憶部と、前記原稿画像読取り部により読み取られた前記画像データの濃度と、前記パターンデータ記憶部に記憶されている前記パターンデータに示された前記パターンの濃度とを比較する濃度比較部と、前記濃度比較部の比較結果に基づき前記原稿の端部を検出する端部検出部とを備えることを特徴とする。
【発明の効果】
【０００７】
以上、本発明によれば、端部検出部により検出された原稿の端部に基づき、原稿のサイズ及び位置を検出することができる。
【発明を実施するための最良の形態】
【０００８】
次に、本発明を実施するための最良の形態を説明する。
【実施例１】
【０００９】
図１は、本発明に係る実施例１の原稿読取り装置の構成を示すブロック図である。実施例１の原稿読取り装置１０は、図２に示すように、複写機２０の原稿台２２にセットされた原稿２４を読み取る装置であって、複写機２０に備えられている。この原稿読取り装置１０は、図１に示すように、原稿押さえ板１１と、画像読取部１２と、画像データ記憶部１３と、グラデーションデータ記憶部１４と、比較部１５と、端部検出部１６と、サイズ・位置検出部１７とを備える。ここで、比較部１５、端部検出部１６、及びサイズ・位置検出部１７は、図示しないＣＰＵが図示しないＲＯＭに記憶されている制御プログラムを実行することにより構成され、後述する機能を有する。
【００１０】
原稿押さえ板１１は、原稿２４を原稿台２２に固定するもので、画像読取部１２が読み取り可能な全領域を覆う大きさを有している。そして、この原稿押さえ板１１は、原稿台２２を押圧する面（以下、押圧面という）に、画像読取部１２が読み取るグラデーションパターンが描かれている。このグラデーションパターンは、図３に示すように、左上隅Ｐを中心にして、放射方向に沿って等間隔で円弧状に描かれている。しかも、このグラデーションパターンは、左上隅Ｐに最も近い箇所に描かれているパターンの濃度が最も淡く（低い）、左上隅Ｐから離れる従いそのパターンの濃度が次第に濃く（高く）なり、右下隅（図示せず）に最も近い箇所に描かれているパターンの濃度が最も濃いようになっている。
【００１１】
前述のグラデーションパターンが単に濃淡をつけるだけでなく、左上隅Ｐを中心にして円弧状に描かれた理由は、図４に示すように、矩形な原稿２４を原稿台２２にセットしたとき、原稿２４の各辺に隣接するグラデーションパターンの濃度を一定にしないためである。また、原稿２４の辺に対して傾斜した状態で交差する縞模様のパターンであってもよい。
【００１２】
図１に示す、画像読取部１２は、光源、複数のミラー、レンズ、Ｒ（赤）、Ｇ（緑）、及びＢ（青）のカラーフィルタ、ＣＣＤ（Ｃｈａｒｇｅ  Ｃｏｕｐｌｅ  Ｄｅｖｉｃｅ）、Ａ／Ｄ変換器等を備える。光源は、例えばタングステン電球で形成され、原稿台２２にセットされた原稿２４を照射する。複数のミラーは、原稿２４で反射された光をレンズに導く。レンズは、複数のミラーから導かれ、原稿２４で反射された光をＣＣＤ上に結像する。
【００１３】
ＣＣＤは、レンズにより結像された原稿２４の画像を画素に分解し、画素にチャージされている明るさに応じた電荷を所定のクロック周波数で読み出した画信号をＡ／Ｄ変換器に出力する。Ｒ、Ｇ、及びＢのカラーフィルタは、ミラーから導かれ、原稿２４で反射された光を、Ｒ、Ｇ、及びＢの各色の光としてＣＣＤに出射する。Ａ／Ｄ変換器は、ＣＣＤから入力された画信号から１バイトのデジタル信号からなる画像データを生成し、この画像データを画像データ記憶部１３に書き込む。この画像データが表す濃度は、２５６階調を有している。
【００１４】
画像データ記憶部１３は、ＲＡＭで形成され、画像読取部１２から入力された画像データを記憶する。
【００１５】
ここで、画像データ記憶部１３に記憶されている画像データについて説明する。例えば、画像データ記憶部１３に記憶されている画像データは、各画素に対応した濃度を示す、例えば図７に示すようなパターンのように記憶されている。ここで、図７中の各画素に記述されている１６進数からなる２桁の数値は、その画素の濃度を示す濃度値である。
【００１６】
グラデーションデータ記憶部１４は、ＲＯＭで形成され、図７に示すグラデーションデータを記憶する。このグラデーションデータは、原稿２４が原稿台２２にセットされない状態において、画像読取部１２により原稿押さえ板１１に描かれたグラデーションパターンが読み取られた場合、当然に読み出されるものと期待される各画素の濃度値（以下、期待濃度値という）を示すデータである。
【００１７】
図５に示すような原稿２４を画像読取部１２で読み取ると、図６に示すように、内部に表示されている画素の濃度値は、原稿２４が白色である箇所に対応する画素（図５中の符号２４Ａ、及び、図６中の符号Ａの箇所参照）の濃度値が「００」であり、原稿２４が黒色である箇所に対応する画素（図５中の符号２４Ｂ、及び、図６中の符号Ｂの箇所参照）の濃度値が「ＦＦ」であり、原稿２４が白色と黒色の間のＲ、Ｇ、及びＢからなる中間色である箇所に対応する画素の濃度値が「００」、及び「ＦＦ」を除いた値である（図５中の符号２４Ｃ、及び、図６中の符号Ｃの箇所参照）。
【００１８】
原稿２４が原稿台２２にセットされていない状態において、画像読取部１２から原稿押さえ板１１に描かれたグラデーションパターンが実際に読み取られた場合には、例えば図８に示すように、符号Ａ及び符号Ｂに示された箇所の画素が有する濃度値が、図７に示したグラデーションデータに記載されている濃度値と異なるようになる場合がある。このように双方の濃度値が異なるのは、画像読取部１２がグラデーションパターンを読み取る際にノイズが入り、このノイズの影響により実際の濃度値が変化してしまうからである。
【００１９】
比較部１５は、画像データ記憶部１３に記憶されている画像データを読み出し、次に、この読み出した画像データに対応するグラデーションデータをグラデーションデータ記憶部１４から読み出す。そして、比較部１５は、読み出した画像データの濃度値と、読み出したグラデーションデータの期待濃度値との差の絶対値が、予め経験的に求められているノイズの影響による濃度値の最大変化値ｎ以上であるか否かを判定する。
【００２０】
ここで、画像データの濃度値とグラデーションデータの期待濃度値とを比較する際に、最大変化値ｎを用いるのは、仮にノイズの影響があった場合でも、原稿領域を確実に特定するためである。
【００２１】
また、比較部１５は、前述の判定を行った結果、読み出した画像データの濃度値と、読み出したグラデーションデータの期待濃度値との差の絶対値が、濃度値の最大変化値ｎ以上であると判定した場合には、原稿領域であることを示す「ＦＦ」が記述された識別結果データを図示しないＲＡＭに書き込む。一方、比較部１５は、読み出した画像データの濃度値と、期待濃度値との差の絶対値が、濃度値の最大変化値ｎ未満であると判定した場合には、原稿領域でないことを示す「００」が記述された識別結果データをＲＡＭに書き込む。
【００２２】
図９は、比較部１５が端部検出部１６に出力した識別結果データを画素ごとに示した図である。図９に示すように、原稿領域を示す画素には、「ＦＦ」が記述され、原稿領域でない画素には「００」が記述されている。
【００２３】
端部検出部１６は、ＲＡＭに記憶されている識別結果データを順次読み出し、原稿２４の端部の位置を検出する。すなわち、端部検出部１６は、ＲＡＭに記憶されている識別結果データを順次読み出し、４つの端点の位置を検出することにより、原稿２４の端部の位置を検出する。そして、端部検出部１６は、端点位置データをサイズ・位置検出部１７に出力する。例えば、図９に示す符号Ａの箇所の画素の位置が４つの端点のうちの１つである。ここで、端点位置データは、端点の画素の位置を示す水平番号と、垂直番号との組で記述されている。
【００２４】
ところで、原稿の一部箇所の濃度値と、グラデーションデータ記憶部１４に記憶されているグラデーションパターンの期待濃度値とが同じである場合には、比較部１５は、例えば図１０に示すように、実際には原稿領域であるのに原稿領域でないように画像データを読み取る。このように原稿領域が読み取られる理由は、この領域の濃度がグラデーションデータ記憶部１４に記憶されているグラデーションパターンの期待濃度値と同じであるため、比較部１５が実際には原稿領域であるのに、原稿領域でない「００」が記述された識別結果データをＲＡＭに書き込むためである。
【００２５】
上述した図１０に示すように、実際には原稿領域であるのに原稿領域でないように原稿２４が読み取られた場合には、端部検出部１６は、以下に説明するようにして、ＲＡＭに記憶されている識別結果データを補正し、端部の位置を検出する。すなわち、図１０中の符号Ａに示された箇所における位置を原稿領域として特定するために、端部検出部１６は、図１１中の符号Ａに示すように、「ＦＦ」の識別結果データの間に「００」の識別結果データが存在するとこの領域を原稿領域と判定し、「００」の識別結果データを「ＦＦ」の識別結果データに補正する。また、図１０中の符号Ｂ及びＣに示された箇所における端部の位置を原稿領域として特定するために、端部検出部１６は、図１１中の符号Ｂ及びＣに示すように、「００」の識別結果データと隣接する「ＦＦ」の識別結果データを延長した符号Ｂ及びＣの線が交差する箇所までのＲＡＭに記憶されている「００」の識別結果データを「ＦＦ」の識別結果データに補正する。
【００２６】
サイズ・位置検出部１７は、端部検出部１６から４つの端点位置データが入力されると、この端点位置データに基づき、原稿２４のサイズ及び位置を検出する。すなわち、サイズ・位置検出部１７は、原稿２４のサイズを検出するときには、入力された４つの端点位置データのうち、垂直番号が同一で、水平番号が異なる２つの端点位置データを参照し、互いの水平番号の差を算出する。また、サイズ・位置検出部１７は、入力された４つの端点位置データのうち、水平番号が同一で、垂直番号が異なる２つの端点位置データを参照し、互いの垂直番号の差を算出する。サイズ・位置検出部１７は、算出した水平番号の差、及び垂直番号の差に基づき、原稿２４のサイズを検出する。また、サイズ・位置検出部１７は、入力された４つの端点位置データのうち、水平番号及び垂直番号が最も小さい端点データに記述されている水平番号及び垂直番号の位置を原稿２４の位置と検出する。
【００２７】
次に、本発明に係る実施例１の原稿読取り装置の動作を説明する。
【００２８】
図１２は、本発明に係る実施例１の原稿読取り装置の動作を示すフローチャートである。まず、複写機２０の原稿台２２に原稿がセットされ（ステップＳ１１）、原稿押さえ板１１が閉じられ、原稿押さえ板１１により原稿２４が原稿台２２に押しつけた状態で、図示しない操作部に設けられているスタートキーが押下されると、画像読取部１２に備わっている光源は、原稿台２２を介して原稿２４に光を照射する。画像読取部１２に備わっているミラー及びレンズは、原稿２４から反射されてきた光をＲ、Ｇ、及びＢのカラーフィルタを介してＣＣＤ上に結像する。
【００２９】
画像読取部１２に備わっているＣＣＤは、原稿２４からの反射され、Ｒ、Ｇ、及びＢのカラーフィルタを介して入射された光の強度に応じた電荷をチャージし（ステップＳ１２）、その後、チャージした電荷に対応した画信号を、例えば１５ｋＨｚのクロックでＡ／Ｄ変換器に出力する。画像読取部１２に備わっているＡ／Ｄ変換器は、ＣＣＤから入力された画信号から１バイトのデジタル信号からなる画像データを生成し（ステップＳ１３）、この画像データを画像データ記憶部１３に書き込む（ステップＳ１４）。
【００３０】
画像読取部１２が原稿２４の全ての画像データを画像データ記憶部１３に書き込むと、比較部１５は、未だ読み出されていない画像データがあるか否かを判定する（ステップＳ１５）。比較部１５は、未だ読み出されていない画像データがあると判定した場合には（ステップＳ１５；ＹＥＳ）、画像データ記憶部１３に記憶されている未だ読み出されていない画像データと、グラデーションデータ記憶部１４に記憶されているグラデーションデータとを比較する後述する処理（以下、比較処理という）を実行し（ステップＳ１６）、ステップＳ１５に処理を移行させ、上述したと同様な処理を続行させる。一方、比較部１５は、未だ読み出されていない画像データがないと判定した場合には（ステップＳ１５；ＮＯ）、出力する識別結果データがない旨の通知を端部検出部１６に出力する。
【００３１】
端部検出部１６は、前述の通知が入力されると、ＲＡＭに記憶されている各画素に対応する識別結果データを順次読み出し、この読み出した識別結果データが原稿領域であるべき領域の識別結果データであるのに、原稿領域でないような「００」の識別結果データで有る場合には、これらの「００」の識別結果データを「ＦＦ」の識別結果データに補正する（ステップＳ１７）。
【００３２】
その後、端部検出部１６は、ＲＡＭに記憶されている識別結果データを順次読み出し、原稿２４の端部の位置を特定するための４つの端点を特定する。次に、端部検出部１６は、４つの端点を示す端点位置データをサイズ・位置検出部１７に出力する。
【００３３】
サイズ・位置検出部１７は、端部検出部１６から４つの端点位置データが入力されると、入力された４つの端点位置データのうち、垂直番号が同一で、水平番号が異なる２つの端点位置データを参照し、互いの水平番号の差を算出する。次に、サイズ・位置検出部１７は、入力された４つの端点位置データのうち、水平番号が同一で、垂直番号が異なる２つの端点位置データを参照し、互いの垂直番号の差を算出する。サイズ・位置検出部１７は、算出した水平番号の差、及び垂直番号の差に基づき、原稿２４のサイズを検出する。その後、サイズ・位置検出部１７は、入力された４つの端点位置データのうち、水平番号及び垂直番号が最も小さい端点データに記述されている水平番号及び垂直番号の位置を原稿２４の位置と検出し（ステップＳ１８）、処理を終了する。
【００３４】
ステップＳ１６における比較処理の動作を説明する。図１３は、ステップＳ１６における比較処理の動作を示すフローチャートである。比較部１５は、画像データ記憶部１３から未だ読み出されていない画像データを読み出す（ステップＳ１６１）。次に、比較部１５は、この読み出した画像データに対応するグラデーションデータをグラデーションデータ記憶部１４から読み出す（ステップＳ１６２）。
【００３５】
その後、比較部１５は、読み出した画像データの濃度値と、読み出したグラデーションデータの期待濃度値との差の絶対値が、予め経験的に求められているノイズの影響による濃度値の最大変化値「ｎ＝２」以上であるか否かを判定する（ステップＳ１６３）。
【００３６】
次に、比較部１５は、前述の判定を行った結果、読み出した画像データの濃度値と、読み出したグラデーションデータの期待濃度値との差の絶対値が、濃度値の最大変化値２以上であると判定した場合には（ステップＳ１６３；ＹＥＳ）、原稿領域であることを示す「ＦＦ」が記述された識別結果データをＲＡＭに書き込む（ステップＳ１６５）。一方、比較部１５は、濃度値の最大変化値２未満であると判定した場合には（ステップＳ１６３；ＮＯ）、原稿領域でないことを示す「００」が記述された識別結果データをＲＡＭに書き込み（ステップＳ１６４）、比較処理を終了する。
【００３７】
実施例１によれば、原稿押さえ板１１が、押圧面にグラデーションパターンが描かれており、また、グラデーションデータ記憶部１４がグラデーションパターンの期待濃度値を示すグラデーションパターンデータを予め記憶しているので、比較部１５により比較された、画像読取部１２により読み取られた原稿２４の画像データの濃度と、グラデーションデータ記憶部１４に記憶されているグラデーションパターンデータに示されたグラデーションパターンの期待濃度とを比較結果に基づき、端部検出部１６が原稿２４の端部を検出ことができる。
【００３８】
実施例１では、原稿押さえ板１１の押圧面に描かれたグラデーションパターンが、左上隅Ｐを中心にして、次第に濃度が濃くなるように、かつ、円弧状に描かれているが、これ以外として、原稿２４の各辺に隣接するグラデーションパターンの濃度を一定としないような不均一なものであってもよい。
【００３９】
実施例１では、原稿２４が原稿台２２に斜めにおかれた場合、原稿台２２に対する原稿２４の傾きを検出していないが、検出された原稿２４の端部と、この端部に最も平行な原稿台２２との傾きを算出することにより、読み取った原稿２４の画像データについて、斜め補正を行うことができる。
【実施例２】
【００４０】
図１４は、本発明に係る実施例２の原稿読取り装置の構成を示すブロック図である。実施例２の原稿読取り装置１０は、実施例１の原稿読取り装置１０と同様、複写機２０の原稿台２２にセットされた原稿２４を読み取る装置であって、複写機２０に備えられている。この原稿読取り装置１０は、図１４に示すように、原稿押さえ板１１と、画像読取部１２と、画像データ記憶部１３と、グラデーションデータ記憶部３４と、比較部１５と、端部検出部１６と、サイズ・位置検出部１７とを備える。
【００４１】
ここで、原稿押さえ板１１、画像読取部１２、画像データ記憶部１３、比較部１５、端部検出部１６、及びサイズ・位置検出部１７は、実施例１のものと同一であり、これらの構成の説明を省略する。
【００４２】
グラデーションデータ記憶部３４は、実施例１のグラデーションデータ記憶部１４に記憶されているグラデーションデータと異なり、電源投入時に読み取られた、原稿押さえ板１１の押圧面に描かれたグラデーションパターンの画像データが記憶される。
【００４３】
このように、電源投入時に読み取られた原稿押さえ板１１の押圧面に描かれたグラデーションパターンの画像データがグラデーションデータ記憶部３４に記憶される理由は、原稿２４の読み取りに使用される光源の光量が経年変化し、それに伴い、画像読取部１２により読み取られた、原稿押さえ板１１に描かれたグラデーションパターンの画像データの値も変化してしまうので、実施例１のように予め記憶させたグラデーションデータの期待濃度値をいつまでも使用すると、実際の濃度値と期待濃度値との間に差が発生してしまい、原稿２４の端部の検出を正しく行うことができなくなる可能性があるためである。
【００４４】
次に、本発明に係る実施例２の原稿読取り装置の動作を説明する。
【００４５】
図１５は、本発明に係る実施例２の原稿読取り装置の動作を示すフローチャートである。この実施例２の原稿読取り装置１０では、ステップＳ２１における初期化処理を除いて、それ以降のすべての動作が、実施例１の原稿読取り装置１０の動作と同様な動作を実行するので、ステップＳ２２からステップＳ２９までの動作の説明を省略する。
【００４６】
ここで、ステップＳ２１における初期化処理の動作を説明する。まず、原稿押さえ板１１が閉じられ、電源が投入され、図示しない操作部に設けられているスタートキーが押下されると、画像読取部１２に備わっている光源は、原稿２４が載置していない原稿台２２を介してグラデーションパターンが描かれた原稿押さえ板１１の押圧面に光を照射する。画像読取部１２に備わっているミラー及びレンズは、原稿押さえ板１１からの反射光をＲ、Ｇ、Ｂのカラーフィルタを介して光源が照射した光をＣＣＤ上に結像する。
【００４７】
画像読取部１２に備わっているＣＣＤは、原稿２４からの反射されてきた光の強度に応じた電荷をチャージし、その後、チャージした電荷に対応した画信号を、例えば１５ｋＨｚのクロックでＡ／Ｄ変換器に出力する。画像読取部１２に備わっているＡ／Ｄ変換器は、ＣＣＤから入力された画信号から１バイトのデジタル信号からなる画像データを生成し、この画像データをグラデーションデータ記憶部３４に書き込み（ステップＳ２１）、初期化処理を終了し、ステップＳ２２に移行させる。
【００４８】
実施例２によれば、実施例１の原稿読取り装置１０が備える効果を有し、更に、次のような効果を有する。すなわち、実施例２の原稿読取り装置１０では、画像読取部１２が、電源投入時において、原稿押さえ板１１の押圧面に描かれたグラデーションパターンの画像を読み取り、この読み取ったグラデーションパターンの画像の画像データを、グラデーションパターンデータとしてグラデーションデータ記憶部３４に記憶するので、光源が経年変化により光量変化しても、グラデーションデータ記憶部３４に記憶されているグラデーションデータが、光源の光量に対応した期待濃度値として設定することができる。また、グラデーションパターンによごれが発生したときにも対応できる。このため、装置を長期間使用しても、端部検出部１６により、原稿２４の端部の検出を正確に検出することができる。
【００４９】
実施例２では、グラデーションデータの初期化処理を行うときを、電源投入時としたが、これ以外として、初期化処理を行ったのち、予め決められた時間を経過した場合には、その都度、グラデーションデータの初期化処理を実施するようにしてもよい。また、原稿２４の読取り回数を計測し、この読取り回数が予め決められた回数になると、グラデーションデータの初期化処理を実行するようにしてもよい。
【図面の簡単な説明】
【００５０】
【図１】本発明に係る実施例１の原稿読取り装置の構成を示すブロック図である。
【図２】実施例１の原稿読取り装置を備える複写機の外観図である。
【図３】図１中の原稿押さえ板に描かれているグラデーションパターンの一例を示す図である。
【図４】図３中のグラデーションパターンを更に詳細説明するための説明図である。
【図５】複写機の原稿台にセットされた原稿の一例を示す図である。
【図６】図５で示された原稿の画像データが有する濃度値の濃度パターンを示す図である。
【図７】グラデーションデータ記憶部に記憶されているグラデーションデータが有する期待濃度値のパターンの一例を示す図である。
【図８】読み出された原稿押さえ板に描かれているグラデーションパターンの濃度値の一例を示す図である。
【図９】記憶されている識別結果データの濃度値パターンの一例を示す図である。
【図１０】識別結果データを補正する必要がある画像データの一例を示す図である。
【図１１】識別結果データを補正するときの補正方法を説明する説明図である。
【図１２】本発明に係る実施例１の原稿読取り装置の動作を示すフローチャートである。
【図１３】図１２中のステップＳ１６における比較処理の動作を示すフローチャートである。
【図１４】本発明に係る実施例２の原稿読取り装置の構成を示すブロック図である。
【図１５】本発明に係る実施例２の原稿読取り装置の動作を示すフローチャートである。
【図１６】従来の原稿読取り装置が読み取る原稿の端部の一例を示す図である。
【図１７】従来の原稿読取り装置が読み取る原稿の端部の一例を示す図である。
【符号の説明】
【００５１】
１０  原稿読取り装置
１１  原稿押さえ板
１２  画像読取部
１３  画像データ記憶部
１４、３４  グラデーションデータ記憶部
１５  比較部
１６  端部検出部
１７  サイズ・位置検出部
２０  複写機
２２  原稿台
２４  原稿
【図１】
2009071713.tif 000003
【図２】
2009071713.tif 000004
【図３】
2009071713.tif 000005
【図４】
2009071713.tif 000006
【図５】
2009071713.tif 000007
【図６】
2009071713.tif 000008
【図７】
2009071713.tif 000009
【図８】
2009071713.tif 000010
【図９】
2009071713.tif 000011
【図１０】
2009071713.tif 000012
【図１１】
2009071713.tif 000013
【図１２】
2009071713.tif 000014
【図１３】
2009071713.tif 000015
【図１４】
2009071713.tif 000016
【図１５】
2009071713.tif 000017
【図１６】
2009071713.tif 000018
【図１７】
2009071713.tif 000019